【手続補正書】
【提出日】平成18年1月10日(2006.1.10)
【手続補正１】
【補正対象書類名】明細書
【補正対象項目名】特許請求の範囲
【補正方法】変更
【補正の内容】
【特許請求の範囲】
【請求項１】  映像を表示する表示素子と、前記表示素子に表示された映像を拡大投影する投影光学系と、前記投影光学系で投影された像近傍に配置された拡散板と、前記投影光学系の射出瞳を観察者側に投影する接眼光学系とを備えており、前記拡散板の拡散角は、半値全幅で２０°以下であることを特徴とする投影観察装置。
【請求項２】  前記拡散板が、光強度が１／１０になる半値全幅で拡散角が全幅で４０°以下であることを特徴とする請求項１記載の投影観察装置。
【請求項３】  前記拡散板の表面粗さは、以下の条件を満足することを特徴とする請求項１記載の投影観察装置。
５＜（Ｓｍ／Ｒａ）＜１０００                          ・・・（１）
ただし、ＳｍはＪＩＳ  Ｂ０６０１による表面の凹凸の平均間隔（μｍ）、Ｒａは表面の中心線平均粗さ（μｍ）である。
【請求項４】  以下の条件を満足することを特徴とする請求項３記載の投影観察装置。
１回透過型の拡散板では、
５＜（Ｓｍ／Ｒａ）×（Ｅｐ／４００）＜７０            ・・・（２）
２回透過型の拡散板では、
１０＜（Ｓｍ／Ｒａ）×（Ｅｐ／４００）＜８０          ・・・（３）
表面反射型の拡散板では、
５０＜（Ｓｍ／Ｒａ）×（Ｅｐ／４００）＜２００        ・・・（４）
裏面反射型の拡散板では、
８０＜（Ｓｍ／Ｒａ）×（Ｅｐ／４００）＜２５０        ・・・（５）
ただし、ＳｍはＪＩＳ  Ｂ０６０１による表面の凹凸の平均間隔（μｍ）、Ｒａは表面の中心線平均粗さ（μｍ）、Ｅｐは拡散板の拡散面から観察者の眼の位置までの距離（ｍｍ）である。
【請求項５】  以下の条件を満足することを特徴とする請求項３記載の投影観察装置。
Ｓｍ＜２００μｍ                                      ・・・（６）
【請求項６】  前記接眼光学系がフレネルレンズからなることを特徴とする請求項１記載の投影観察装置。
【請求項７】  前記接眼光学系が反射面からなることを特徴とする請求項１記載の投影観察装置。
【請求項８】  前記接眼光学系がフレネル反射鏡からなることを特徴とする請求項７記載の投影観察装置。
【請求項９】  前記接眼光学系がフレネル裏面反射鏡からなることを特徴とする請求項７記載の投影観察装置。
【請求項１０】  映像を表示する表示素子と、前記表示素子に表示された映像を拡大投影する投影光学系と、前記投影光学系で投影された像近傍に配置された透過型ホログラムからなる拡散板と、前記投影光学系の射出瞳を観察者側に投影する凹面鏡とを備えており、前記透過型ホログラムからなる拡散板の拡散角は、半値全幅で２０°以下であることを特徴とする投影観察装置。
【請求項１１】  映像を表示する少なくとも２つの表示素子と、前記表示素子各々からの光を所定の位置に集光する少なくとも２つの投影光学系とを備えていることを特徴とする請求項１０記載の投影観察装置。
【請求項１２】  前記凹面鏡がフレネル凹面反射鏡からなることを特徴とする請求項１０記載の投影観察装置。
【請求項１３】  前記投影光学系から装置の射出瞳に至る光線が前記透過型ホログラムからなる拡散板を２回透過する配置において、１回目に前記透過型ホログラムからなる拡散板を透過する角度と、２回目に前記透過型ホログラムからなる拡散板を透過する角度とが異なるように配置されていることを特徴とする請求項１０記載の投影観察装置。
【請求項１４】  前記透過型ホログラムからなる拡散板が、光強度が１／１０になる半値全幅で拡散角が全幅で４０°以下であることを特徴とする請求項１０記載の投影観察装置。
【請求項１５】  前記透過型ホログラムからなる拡散板の拡散角は、半値全幅で８°以下であることを特徴とする請求項１１記載の投影観察装置。
【請求項１６】  前記透過型ホログラムからなる拡散板が、光強度が１／１０になる半値全幅で拡散角が全幅で１２°以下であることを特徴とする請求項１１記載の投影観察装置。
【請求項１７】  前記投影光学系からの軸上主光線が前記凹面鏡に斜めに入射するように配置されていることを特徴とする請求項１０記載の投影観察装置。
【請求項１８】  前記透過型ホログラムの１回目及び２回目透過時に回折されてない０次光が装置の射出瞳に入射しないように構成されていることを特徴とする請求項１０記載の投影観察装置。
【請求項１９】  装置の射出瞳の位置で、前記透過型ホログラムの１回目及び２回目透過時に回折されてない０次光がその射出瞳の中心からその瞳径の２分の１以上離れて入射するように構成されていることを特徴とする請求項１０記載の投影観察装置。
【請求項２０】  前記透過型ホログラムからなる拡散板が、回折による屈曲作用を有することを特徴とする請求項１０記載の投影観察装置。
【請求項２１】  前記透過型ホログラムからなる拡散板によるｄ線の光軸の屈曲角をγとするとき、
γ＞１°                                              ・・・（７）
の条件を満足することを特徴とする請求項２０記載の投影観察装置。
【請求項２２】  前記透過型ホログラムからなる拡散板によるｄ線の光軸の屈曲角をγとするとき、
γ＜４５°                                            ・・・（８）
の条件を満足することを特徴とする請求項２０記載の投影観察装置。
【請求項２３】  前記透過型ホログラムからなる拡散板によるｄ線の光軸の屈曲角をγとするとき、
１０°＜γ＜２０°                                    ・・・（９）
なる条件を満足することを特徴とする請求項１０記載の投影観察装置。
【請求項２４】  前記透過型ホログラムからなる拡散板による波長７００ｎｍの光と波長４００ｎｍの光の間の光軸の回折角の差が１８°以下であることを特徴とする請求項１０記載の投影観察装置。
【請求項２５】  装置の射出瞳の位置で、波長７００ｎｍの光軸と波長４００ｎｍの光軸の入射位置の差が射出瞳の瞳径の２分の１以下であることを特徴とする請求項１０記載の投影観察装置。
【請求項２６】  前記凹面鏡へのｄ線の光軸の入射角をβとすると、
０°＜β＜４５°                                    ・・・（１０）
の関係を満たすことを特徴とする請求項１０記載の投影観察装置。
【請求項２７】  前記凹面鏡へのｄ線の光軸の入射角をβとすると、
５°＜β＜２０°                                ・・・（１０−１）
の関係を満たすことを特徴とする請求項１０記載の投影観察装置。
【請求項２８】  前記投影光学系はアオリ像の像歪みを補正する機能を持ったものであることを特徴とする請求項２６記載の投影観察装置。
【請求項２９】  前記透過型ホログラムからなる拡散板によるｄ線の光軸の屈曲角をγ、前記凹面鏡へのｄ線の光軸の入射角をβとすると、
０．０１＜γ／β＜１０００                          ・・・（１１）
の関係を満たすことを特徴とする請求項１０記載の投影観察装置。
【請求項３０】  前記透過型ホログラムからなる拡散板によるｄ線の光軸の屈曲角をγ、前記凹面鏡へのｄ線の光軸の入射角をβとすると、
０．５＜γ／β＜２                              ・・・（１１−１）
の関係を満たすことを特徴とする請求項１０記載の投影観察装置。